(57)【要約】【課題】硬質熱可塑性樹脂を含む内張り材を十分に軟化させた状態で、管路内に挿入することが可能な、内張り材の設置方法を提供すること。【解決手段】内張り材１を管路Ｐ内に挿入する際に、まず、加熱手段を内部に有する可撓性の加熱筒体２を管路Ｐの管路口付近まで設置する。次に、この加熱筒体２に内張り材１を挿通し、加熱筒体２を通過する間に内張り材１を加熱する。これにより、内張り材１を十分に軟化させた状態で管路Ｐへ挿入できるため、内張り材１の挿入作業が容易になる。【選択図】図２
2014097611.tif 000002
【特許請求の範囲】
【請求項１】
硬質熱可塑性樹脂からなる筒状の内張り材を管路内に設置する方法であって、
前記内張り材を前記管路内に挿入する挿入工程と、
前記管路内に挿入された前記内張り材を加熱しながら内圧を作用させて、前記管路の内面に沿うように前記内張り材を膨張させる膨張工程と、を備え、
前記挿入工程において、
加熱媒体を噴出可能な加熱手段を内部に有する可撓性の加熱筒体を前記管路の管路口付近まで設置し、この加熱筒体に前記内張り材を挿通して、前記内張り材が前記加熱筒体を通過する間に前記加熱手段によって前記内張り材を加熱することを特徴とする内張り材の設置方法。
【請求項２】
前記管路内に設置される前の前記内張り材は加熱ボックスに収容されており、
前記挿入工程において、
前記加熱ボックス内で、前記内張り材を第１温度まで加熱し、
前記加熱ボックスから引き出された前記内張り材を、前記加熱筒体内で前記第１温度よりも高い第２温度まで加熱することを特徴とする請求項１に記載の内張り材の設置方法。
【請求項３】
前記第１温度は、前記硬質熱可塑性樹脂のビカット軟化点未満の温度であり、前記第２温度は前記硬質熱可塑性樹脂のビカット軟化点以上の温度であることを特徴とする請求項２に記載の内張り材の設置方法。
【請求項４】
前記加熱筒体の端部が、前記管路口から前記管路の内部まで挿入されていることを特徴とする請求項１〜３の何れかに記載の内張り材の設置方法。
【請求項５】
前記管路は、地上と縦坑を介して接続された埋設管路であり、
前記挿入工程において、前記縦坑から前記管路まで前記加熱筒体を設置し、
前記縦坑と前記管路との接続部に、前記加熱筒体を、前記接続部の角部から離すための管口ガイドを設置することを特徴とする請求項１〜４の何れか記載の内張り材の設置方法。
【請求項６】
前記管口ガイドは、鉛直方向から水平方向に向けて湾曲する湾曲面を有し、
前記加熱筒体を前記湾曲面に沿って設置することを特徴とする請求項５に記載の内張り材の設置方法。
【請求項７】
前記加熱手段は、蒸気を噴出する複数の孔が形成された蒸気供給管からなることを特徴とする請求項１〜６の何れかに記載の内張り材の設置方法。
【請求項８】
前記内張り材は、前記硬質熱可塑性樹脂の層の厚さ方向に筒状織物が配置された構成を有し、
前記筒状織物は、その熱変形温度が、前記硬質熱可塑性樹脂の熱変形温度よりも高い糸で構成されていることを特徴とする請求項１〜７の何れかに記載の内張り材の設置方法。
【発明の詳細な説明】
【技術分野】
【０００１】
本発明は、管路内に内張り材を設置する方法に関する。
【背景技術】
【０００２】
従来から、上下水道管、ガス導管、農業用水管などの管路内に筒状の内張り材を設置することによって、管路の補修又は補強を行うことが知られている。このような管路の補修等に採用される内張り材としては様々な構成のものがあるが、その中でも、硬質の熱可塑性樹脂からなる内張り材を使用する場合がある。
【０００３】
特許文献１には、硬質の熱可塑性樹脂からなるパイプ状の内張り材を、地中に埋設された既設管路内に設置する方法が開示されている。まず、硬質の熱可塑性樹脂製の内張り材を、地上に設置した加温装置で加熱して変形可能な状態にしてから、縦坑を経由して管路内に挿入する。加温装置は、加熱流体管が取り付けられた柔軟な筒状体であり、加熱流体管から送入された蒸気により、筒状体を通過する内張り材を加熱する。また、内張り材の管路内への挿入は、内張り材の一端に接続した牽引索を挿入側とは反対側の縦坑から牽引し、内張り材を管路内に引き込むことによって行っている。内張り材を管路内に挿入したら、内張り材の内部に加圧水蒸気を供給し、管路への挿入時よりも高い温度まで加熱しながら内圧をかけることで、管路の内面に沿うように内張り材を膨らませる。
【先行技術文献】
【特許文献】
【０００４】
【特許文献１】特開平６−２４１３４８号公報
【発明の概要】
【発明が解決しようとする課題】
【０００５】
特許文献１では、硬質熱可塑性樹脂からなる内張り材を、地上に設置された加温装置で加熱した後に、縦坑を経由して地中に埋設された管路内に挿入している。しかし、加温装置で、内張り材が所定の温度まで加熱されて一旦軟化しても、その後、縦坑を通過する際の放熱で、内張り材の温度が低下してしまう。従って、管路に挿入する前の状態では内張り材の軟化が不十分となり、内張り材を変形させることが困難となって管路に挿入することが難しくなる。それ故、例えば、大型のウインチを準備して内張り材を強力に引き込むといったことが必要になる。また、管路へ挿入した後の内張り材の温度もかなり低くなってしまっており、次工程で内張り材を膨らませるための加熱に時間がかかり、全体の施工時間が長くなってしまうという問題もある。
【０００６】
本発明の目的は、硬質熱可塑性樹脂を含む内張り材を十分に軟化させた状態で、管路内に挿入することが可能な、内張り材の設置方法を提供することである。
【課題を解決するための手段及び発明の効果】
【０００７】
第１の発明の内張り材の設置方法は、硬質熱可塑性樹脂からなる筒状の内張り材を管路内に設置する方法であって、
前記内張り材を前記管路内に挿入する挿入工程と、前記管路内に挿入された前記内張り材を加熱しながら内圧を作用させて、前記管路の内面に沿うように前記内張り材を膨張させる膨張工程と、を備え、
前記挿入工程において、加熱媒体を噴出可能な加熱手段を内部に有する可撓性の加熱筒体を前記管路の管路口付近まで設置し、この加熱筒体に前記内張り材を挿通して、前記内張り材が前記加熱筒体を通過する間に前記加熱手段によって前記内張り材を加熱することを特徴とするものである。
【０００８】
本発明では、まず、加熱媒体を噴出可能な加熱手段を内部に有する可撓性の加熱筒体を管路の管路口付近まで設置する。そして、この加熱筒体に内張り材を挿通することで、管路に挿入される直前まで加熱筒体内で内張り材を加熱する。また、加熱筒体内で、加熱手段から加熱媒体が噴出され、この加熱媒体によって内張り材が直接加熱される。これにより、内張り材を十分に軟化させた状態で管路へ挿入でき、挿入時の内張り材の移動抵抗を抑えることができるため挿入作業が容易になる。また、内張り材の温度を高く維持したまま管路内に挿入できることから、次の膨張工程での内張り材の加熱に要する時間が短くて済む。また、本発明において、熱可塑性樹脂が「硬質」とは、常温の状態では可撓性がほとんどないことを意味する。
【０００９】
また、本発明では、加熱筒体が可撓性を有することから、加熱筒体を管路口付近に設置する、あるいは、内張り材の挿入後に加熱筒体を取り外すといった作業が容易である。また、可撓性を有する加熱筒体は外力を加えることによって容易に位置を変えたり、変形させたりすることができることから、加熱筒体が剛体である場合と比べて、加熱筒体の周囲での作業スペースの確保が容易であるという利点もある。
【００１０】
第２の発明の内張り材の設置方法は、前記第１の発明において、前記管路内に設置される前の前記内張り材は加熱ボックスに収容されており、前記挿入工程において、前記加熱ボックス内で、前記内張り材を第１温度まで加熱し、前記加熱ボックスから引き出された前記内張り材を、前記加熱筒体内で前記第１温度よりも高い第２温度まで加熱することを特徴とするものである。
【００１１】
まず、内張り材が収容されている加熱ボックス内で低い第１温度まで加熱する。これにより、内張り材の硬質熱可塑性樹脂を少し柔らかくして加熱ボックスから引き出しやすくする。次に、加熱筒体にて、第１温度よりも高い第２温度まで加熱してさらに軟化させ、内張り材を十分に軟化させて管路への挿入を容易にする。本発明では、予め加熱ボックス内において第１温度まで加熱しておいてから加熱筒体で第２温度まで加熱することから、加熱筒体のみで内張り材を加熱する場合に比べて、内張り材を短時間で高い温度まで加熱することができる。つまり、施工準備中も加熱ボックスで内張り材を予熱しておけるため、時間に制限のある実工事上は非常に有益である。また、加熱ボックス内の内張り材を予熱しておけるため、内張り材の挿入速度を上げつつも、短時間で通過する加熱筒体内で内張り材を第２温度まで確実に加熱することができ、挿入工程を短時間で終えることが可能となる。また、加熱ボックス内だけでなく、加熱ボックスから引き出された後も加熱筒体内で加熱されるため、内張り材を十分に加熱した状態で管路内に挿入することができる。逆に言うと、加熱ボックス内で内張り材を予熱しておくことで、加熱筒体の長さを抑えることが可能であり、施工場所をコンパクトにすることができて、多くの施工条件で適用可能な方法となる。
【００１２】
第３の発明の内張り材の設置方法は、前記第２の発明において、前記第１温度は、前記硬質熱可塑性樹脂のビカット軟化点未満の温度であり、前記第２温度は前記硬質熱可塑性樹脂のビカット軟化点以上の温度であることを特徴とするものである。
【００１３】
本発明では、加熱ボックス内では、内張り材を、硬質熱可塑性樹脂のビカット軟化点未満の温度に抑えておくことで、内張り材の収納状態が崩れず、加熱ボックス内からの内張り材の引き出し時の抵抗が大きくならない。また、加熱ボックスから引き出した後においては、加熱筒体にて、内張り材を、硬質熱可塑性樹脂のビカット軟化点以上の温度まで加熱して、内張り材を十分に軟化させるため、管路口までの間に屈曲や段差等がある場合でも、管路への内張り材の挿入作業が容易になる。
【００１４】
第４の発明の内張り材の設置方法は、前記第１〜第３の何れかの発明において、前記加熱筒体の端部が、前記管路口から前記管路の内部まで挿入されていることを特徴とするものである。
【００１５】
本発明では、管路口から管路の内部まで加熱筒体が挿入されているので、内張り材を管路内に挿入するときに、内張り材が管路口付近の角部に直接接触して損傷することが防止される。また、加熱筒体の端部から漏れ出る加熱媒体が管路の内面を暖めるため、管路内に挿入された途端に内張り材の外面が急冷されてしまうことがなく、内張り材が管路の内面の凹凸になじみやすくなる。また、内張り材の温度が比較的高い状態で膨張工程を開始することができるため、膨張工程における加熱時間を短縮できる。さらに、施工中に、内張り材の動きに引きずられるなどして加熱筒体が管路に対して多少ずれても、加熱筒体が管路口から外れにくいので、内張り材を管路口まで確実に加熱することができる。
【００１６】
第５の発明の内張り材の設置方法は、前記第１〜第４の何れかの発明において、前記管路は、地上と縦坑を介して接続された埋設管路であり、前記挿入工程において、前記縦坑から前記管路まで前記加熱筒体を設置し、前記縦坑と前記管路との接続部に、前記加熱筒体を、前記接続部の角部から離すための管口ガイドを設置することを特徴とするものである。
【００１７】
内張り材を管路内に挿入する際に、内張り材を覆っている可撓性の加熱筒体が、縦坑と管路との接続部の角部に強く押し付けられると、加熱筒体が前記接続部の角部との間で擦れて破損する虞がある。また、その際、内張り材にも前記接続部の角部によって折れや捩れ等が生じやすくなり、次の膨張工程で内張り材の内部に加圧流体を供給しにくくなる。本発明では、縦坑と管路との接続部に、加熱筒体を前記接続部の角部から離すように管口ガイドが設置されている。これにより、加熱筒体が前記接続部の角部に押し付けられることがない。また、内張り材に折れや捩れ等が生じにくくなる。
【００１８】
第６の発明の内張り材の設置方法は、前記第５の発明において、前記管口ガイドは、鉛直方向から水平方向に向けて湾曲する湾曲面を有し、前記加熱筒体を前記湾曲面に沿って設置することを特徴とするものである。
【００１９】
本発明によれば、管口ガイドの湾曲面に沿って加熱筒体が設置されることから、加熱筒体が管口ガイドに強く押し付けられても接触摩擦は小さい。また、湾曲面によって内張り材が管路へ向けて案内されることで、内張り材に折れや捩れ等がさらに生じにくくなる。
【００２０】
第７の発明の内張り材の設置方法は、前記第１〜第６の何れかの発明において、  前記加熱手段は、蒸気を噴出する複数の孔が形成された蒸気供給管からなることを特徴とするものである。
【００２１】
本発明では、加熱筒体内に設置された蒸気供給管の複数の孔からそれぞれ蒸気が噴出することによって、加熱筒体内を通過する内張り材が加熱される。また、蒸気供給管が加熱筒体内に存在することによって、加熱筒体の内部に適当な空間が形成される。そのため、加熱筒体内への内張り材の挿入時に、特に、内張り材の先端部分を通す際の抵抗が小さくなる。また、蒸気供給管の剛性によって加熱筒体が極端に折れ曲がることもないため、挿入時に加熱筒体内で内張り材が引っ掛かることもない。
【００２２】
第８の発明の内張り材の設置方法は、前記第１〜第７の何れかの発明において、前記内張り材は、前記硬質熱可塑性樹脂の層の厚さ方向に筒状織物が配置された構成を有し、前記筒状織物は、その熱変形温度が、前記硬質熱可塑性樹脂の熱変形温度よりも高い糸で構成されていることを特徴とするものである。
【００２３】
本発明において、内張り材は、硬質熱硬化性樹脂の層の厚さ方向に筒状織物が配置された構成を有する。また、筒状織物は、熱変形温度が、硬質熱硬化性樹脂の熱変形温度よりも高い糸で構成されている。そのため、加熱によって樹脂層が軟化しても筒状織物によって引張強度が維持される。従って、加熱筒体内における挿入時における引張りによって内張り材が伸びることがないので、管路に挿入したときに内張り材の厚さが減少するなどの問題が生じない。また、内張り材の長さ方向に引張応力が残留しにくいため、内張り材の膨張工程で内張り材が収縮することがない。
【図面の簡単な説明】
【００２４】
【図１】本実施形態に係る加熱筒体の設置工程を示す図である。
【図２】内張り材の引き込み工程を示す図である。
【図３】内張り材の断面図である。
【図４】内張り材が挿通される加熱筒体の平面図である。
【図５】図４のV-V線断面図である。
【図６】管口ガイドの斜視図である。
【図７】（ａ）はマンホール下部の鉛直断面図、（ｂ）はマンホール下部の水平断面図である。
【図８】内張り材が挿入された管路の断面図である。
【図９】内張り材の膨張工程を示す図である。
【図１０】内張り材の設置が完了した状態を示す図である。
【図１１】変更形態に係る加熱筒体の設置工程を示す図である。
【図１２】別の変更形態に係るガイドの斜視図である。
【発明を実施するための形態】
【００２５】
次に、本発明の実施形態について説明する。本実施形態は、下水道管などの地中に埋設された既設管路（以下では、単に管路と称す）に補修又は補強のための内張り材を設置する場合に、本発明を適用した一例である。管路Ｐは、マンホールＭ１，Ｍ２（縦坑）を介して、地上と接続されている（図１、図２、図９、図１０参照）。以下では、２つのマンホールＭ１，Ｍ２間の管路Ｐ内に内張り材１を設置する場合について説明する。
【００２６】
本実施形態では、まず、硬質熱可塑性樹脂層を含む筒状の内張り材１を、マンホールＭ１に設置された加熱筒体２内に通して加熱し、軟化させた上で管路Ｐ内に挿入する（挿入工程：図１、図２参照）。次に、管路Ｐ内に挿入された内張り材１を膨張させる（膨張工程：図９参照）。これにより、筒状の内張り材１を管路Ｐの内面に沿うように設置する（図１０参照）。
【００２７】
（１）挿入工程
図１は、加熱筒体の設置工程を示す図、図２は、内張り材の引き込み工程を示す図である。図１に示すように、まず、マンホールＭ１の開口近くに、筒状の内張り材１が巻かれたリール４を収容した加熱ボックス３を設置する。
【００２８】
図３は、内張り材の断面図である。図３に示すように、内張り材１は、硬質の熱可塑性樹脂層６の厚さ方向に筒状織物５が配置された構成を有する。図３では、筒状織物５の内面と外面にそれぞれ熱可塑性樹脂層６が貼り合わされた構成が示されているが、内面と外面の何れか一方にのみ熱可塑性樹脂層６が貼り合わされてもよい。あるいは、熱可塑性樹脂層６内に筒状織物５が埋め込まれた構成であってもよい。また、図３に示すように、筒状の内張り材１は、偏平な形状に押し潰された状態でリール４に巻かれている。
【００２９】
硬質熱可塑性樹脂層６は、例えば、硬質塩化ビニル樹脂や高密度ポリエチレン等で形成される。この硬質熱可塑性樹脂層６は、常温（例えば２０℃）ではほとんど可撓性を示さず、変形もしない。筒状織物５は、経糸（筒軸方向の糸）に対して緯糸がスパイラル状に織り込まれ、経糸がほぼ直線状に延びる一方で、緯糸は屈曲した構造を有する。経糸及び緯糸には、例えば、ポリエチレンテレフタレート等のポリエステル系の糸を使用できる。また、緯糸には、伸びのある嵩だか加工糸を使用する。そのため、筒状織物５が内側から加圧されたときには、緯糸が周方向に伸びるとともに屈曲部分が直線状に近づくため、筒状織物５は拡径することになる。
【００３０】
尚、筒状織物５は、後述する内張り材１の挿入時に、硬質熱可塑性樹脂層６を加熱して軟化させたときに、内張り材１の引張強度を確保する役割を果たす。硬質熱硬化性樹脂である硬質塩化ビニル樹脂の熱変形温度は５４〜７４℃であり、また、高密度ポリエチレンは４０〜５４℃である、これに対して、筒状織物５で使用されるポリエチレンテレフタレートの熱変形温度は、２４０〜２４５℃である。従って、加熱によって硬質熱硬化性樹脂が軟化しても筒状織物５を構成する糸は軟化していないことから、内張り材１全体の引張強度が維持される。従って、挿入時に内張り材１に引っ張り力が作用しても、内張り材全体が伸びることが抑えられ、また、伸びることによる厚みの減少や樹脂のひずみに起因する冷却時の収縮も抑制される。
【００３１】
図１に戻り、加熱ボックス３は図示しない加熱装置を有し、この加熱装置を用いて加熱ボックス３内の内張り材１を所定温度に加熱しておく。尚、この加熱ボックス３では、内張り材１を、リール４から引き出しやすくなる程度に軟化すれば十分であり、その加熱温度は、硬質熱可塑性樹脂層６のビカット軟化点未満の温度でよい。また、その程度の加熱にとどめることによって、内張り材１の収納状態が崩れず、加熱ボックス３内からの内張り材１の引き出し時の抵抗が大きくならない。例えば、硬質熱可塑性樹脂層６が塩化ビニル樹脂（ビカット軟化点６５℃）である場合、加熱ボックス３での加熱温度は５５〜６０℃程度とする。
【００３２】
（加熱筒体の設置）
次に、図１に示すように、加熱ボックス３の、内張り材１が引き出される引出部３ａに、可撓性を有する加熱筒体２の一端部を固定するとともに、この加熱筒体２をマンホールＭ１内に設置する。図４は、内張り材が挿通される加熱筒体の平面図である。図５は、図４のV-V線断面図である。
【００３３】
加熱筒体２は、耐熱性及び気密性を具備する素材で形成された、可撓性を有するホースであり、例えば、内面又は外面が熱可塑性樹脂で被覆されたホース状物等で形成できる。また、加熱筒体２には、その長手方向に沿ってファスナー７が設けられ、このファスナー７によって加熱筒体２の内部を開放することが可能である。ファスナー７は、線ファスナーであってもよいし、面ファスナーであってもよい。また、図４に示すように、加熱筒体２の長手方向に２つのファスナー７が並べて設けられ、これら２つのファスナー７によって、加熱筒体２はその全長にわたって内部開放可能となっている。また、２つのファスナー７のうちの一方のみを開いて加熱筒体２の一方側のみを開放し、他方側は閉止したままとすることも可能である。
【００３４】
加熱筒体２の内部には、２本の蒸気供給管８が、加熱筒体２の長手方向に沿って配されている。蒸気供給管８は、耐熱性と保形性に加え、可撓性も兼ね備えたフレキシブルパイプである。
【００３５】
２本の蒸気供給管８は、加熱筒体２の中心に関してほぼ点対称な位置に配置されている。各蒸気供給管８の、加熱筒体２の中心側に向いた部分には、その長手方向（図５の紙面垂直方向）に沿って複数の蒸気噴射孔８ａが形成されている。２本の蒸気供給管８は図示しないボイラとそれぞれ接続される。ボイラから各蒸気供給管８に供給された蒸気は、複数の蒸気噴射孔８ａから加熱筒体２内へ蒸気が噴出する。尚、ボイラに接続された２本の蒸気供給管８が、本発明の「加熱手段」に相当する。
【００３６】
蒸気供給管８としては、例えば、経糸がポリエステル繊維等からなる一般繊維、緯糸がポリエステル等のモノフィラメント糸で織成された筒状織物の内面に、熱可塑性樹脂（例えばウレタン樹脂）のチューブを接着一体化したホース状物を使用できる。緯糸のモノフィラメント糸の線径が太いことから保形性（剛性）を有するパイプ状となる。そして、このホース状物の外面から、適宜熱した針状物で蒸気噴射孔８ａとなる細孔を形成する。
【００３７】
加熱筒体２をマンホールＭ１内に設置する前に、このマンホールＭ１の下部の、管路Ｐとの接続部９に管口ガイド１０を設置しておく。図６は、管口ガイドの斜視図、図７（ａ）はマンホール下部の鉛直断面図、（ｂ）はマンホール下部の水平断面図である。
【００３８】
図６、図７に示すように、管口ガイド１０は、棒状の第１フレーム部１１と、Ｔ字状の第２フレーム部１２と、ガイド部１３とを有する。第１フレーム部１１は、筒部１４と、この筒部１４の内部に挿通されたネジ棒１５と、ネジ棒１５に螺合されたナット部材１６とを有する。第１フレーム部１１の両端部（筒部１４の端部及びネジ棒１５の端部）にはそれぞれ受圧板１７，１８が取り付けられている。Ｔ字状の第２フレーム部１２は、筒状の基部１９と、この基部１９の内部に挿通されたネジ棒２０と、ネジ棒２０に螺合されたナット部材２１とを有する。第２フレーム部１２の基部１９の端部にも受圧板２２が取り付けられている。ガイド部１３は、第１フレーム部１１とＴ字状の第２フレーム部１２の両方に連結されており、また、このガイド部１３は、中心角が略９０度の湾曲面２３を有する。
【００３９】
図７に示すように、棒状の第１フレーム部１１が管路Ｐと直交し、且つ、Ｔ字状の第２フレーム部１２の基部１９が管路Ｐと平行となる姿勢で、管口ガイド１０を、マンホールＭ１の下部の、管路Ｐとの接続部９に設置する。このとき、ガイド部１３は、その湾曲面２３が、鉛直方向から水平方向に向けて延びるように配置される。この状態で、２つのナット部材１６，２１をそれぞれ回転させて２本のネジ棒１５，２０を延ばし、３つの受圧板１７，１８，２２をマンホールＭ１の内面にそれぞれ押し付けることにより、管口ガイド１０の位置を固定する。
【００４０】
上記の管口ガイド１０の設置後に、加熱筒体２をマンホールＭ１内に挿入し、管路Ｐの管路口Ｐａ付近まで加熱筒体２を設置する。加熱筒体２は可撓性を有するホースであるから、マンホールＭ１内への加熱筒体２の設置は容易である。また、マンホールＭ１の下部の、管路Ｐとの接続部９においては、加熱筒体２を管口ガイド１０に掛けて、接続部９の角部９ａに加熱筒体２が接触しないようにする。より具体的には、加熱筒体２を管口ガイド１０の第１フレーム部１１に掛け、さらに、加熱筒体２をガイド部１３の湾曲面２３に沿って配置し、湾曲面２３によって加熱筒体２が鉛直方向から水平方向に案内されるようにする。また、管口ガイド１０から先の加熱筒体２の先端部は、管路口Ｐａから管路Ｐの内部まで挿入しておく。加熱筒体２の管路Ｐへの挿入長さは、例えば、１００〜２００ｍｍ程度とする。
【００４１】
尚、加熱筒体２が剛直な材料で形成されていると、加熱筒体２が設置されているマンホールＭ１内の作業スペースが小さく、内張り材１の挿通作業等が行いにくいという問題がある。本実施形態では加熱筒体２は可撓性を有するため、加熱筒体２に外力を加えてマンホールＭ１内で加熱筒体２を押しのけたり、加熱筒体２を変形させたりして、加熱筒体２の周囲に作業スペースを確保することは比較的容易である。
【００４２】
（内張り材の引き込み）
加熱筒体２の設置が完了したら、次に、図２に示すように、内張り材１を、加熱筒体２に挿通し、加熱筒体２を介して管路Ｐ内に挿入する。まず、加熱ボックス３から引き出した内張り材１の先端部に引き込み用のワイヤ３０を接続する。加熱筒体２には長手方向に延びる２つのファスナー７が設けられていることから、内張り材１の挿入前の準備工程において、ファスナー７を開いて、加熱筒体２内にワイヤ３０を簡単に通線することができる。ワイヤ３０の通線が完了すると、２つのファスナー７を閉じてから２本の蒸気供給管８に蒸気を供給し、加熱筒体２内で２本の蒸気供給管８から蒸気を噴出させる。
【００４３】
この状態で、加熱筒体２を通過する間に加熱されて軟化した内張り材１を、加熱筒体２を経由して管路Ｐ内へ挿入する。具体的には、内張り材１の挿入側とは反対側のマンホールＭ２から、ワイヤ３０をウインチ３１で巻取る。すると、内張り材１が、まず、加熱筒体２内へ挿入されていく。加熱筒体２内では、２本の蒸気供給管８から内張り材１へ向けて蒸気が噴出することにより、内張り材１が蒸気で直接加熱される。尚、内張り材１を加熱筒体２内に挿入する際には、図４、図５に示すように、加熱筒体２内において、内張り材１が２本の蒸気供給管８の間に内張り材１が位置するようにする。
【００４４】
ここで、加熱筒体２に供給する蒸気量（蒸気圧力）等を制御することによって、加熱筒体２内において、加熱ボックス３内の加熱温度（第１温度）よりも高い温度まで内張り材１を加熱する。また、内張り材１の硬質熱可塑性樹脂層６が十分に軟化するように、加熱筒体２内の加熱温度（第２温度）は、硬質熱可塑性樹脂層６のビカット軟化点以上の温度であることが好ましい。例えば、硬質熱可塑性樹脂層６が塩化ビニル樹脂である場合、加熱筒体２内での加熱温度は８０℃以上とする。これにより、内張り材１を十分に軟化させることができ、管路口Ｐａまでの間に屈曲や段差などがあっても、管路Ｐへの内張り材１の挿入作業が容易になる。
【００４５】
尚、蒸気供給管８が加熱筒体２内に存在することによって、加熱筒体２の内部に適当な空間が形成される。そのため、加熱筒体２内への内張り材１の挿入時に、特に、内張り材１の先端部を通す際の抵抗が小さくなる。また、蒸気供給管８の剛性によって加熱筒体２が極端に折れ曲がることもないため、挿入時に加熱筒体２内で内張り材１が引っ掛かることもない。また、加熱筒体２には長手方向に延びるファスナー７が設けられていることから、内張り材１の挿入作業中に何らかの異常が生じたときには、一旦内張り材１の挿入と蒸気の供給を止めて、ファスナー７を開き、内張り材１の状態を直ちに確認することが可能である。
【００４６】
加熱筒体２を通って管路Ｐ内に挿入された内張り材１の先端部が、マンホールＭ２の管路口Ｐｂまで到達したら、ワイヤ３０の巻取りを終了し、挿入工程を完了する。図８は、内張り材が挿入された管路の断面図である。
【００４７】
上記のように、本実施形態では、内部に蒸気供給管８（加熱手段）を有する加熱筒体２を管路Ｐの管路口Ｐａ付近まで設置する。そして、この加熱筒体２に内張り材１を挿通することで、管路Ｐに挿入される直前まで加熱筒体２内で内張り材１を加熱する。また、加熱筒体２内で、蒸気供給管８から蒸気が噴出され、この蒸気によって内張り材１が直接加熱される。これにより、内張り材１を十分に軟化させた状態で管路Ｐへ挿入でき、挿入時の内張り材１の抵抗（引き込み抵抗）を抑えることができるため挿入作業が容易になる。また、内張り材１の温度を高く維持したまま管路Ｐ内に挿入できることから、次の膨張工程での内張り材１の加熱に要する時間が短くて済む。
【００４８】
尚、加熱筒体２内の加熱によって樹脂層６が軟化しても筒状織物５によって内張り材１の全体の引張強度が維持される。従って、加熱筒体２内における加熱によって内張り材１が伸びてしまうことはない。また、管路Ｐに挿入したときに内張り材１の厚さが減少するなどの問題が生じない。また、内張り材１の長さ方向に引張応力が残留しにくいため、後の膨張工程で引張応力が解放されて、内張り材１が収縮することがない。
【００４９】
また、加熱ボックス３内において内張り材１を予備的に加熱した上で（例えば、５５〜６０℃）、加熱筒体２を通過する間にさらに高い温度（例えば、８０℃以上）まで加熱する。この２段加熱を採用することにより、加熱筒体２のみで内張り材１を加熱する場合に比べて、短時間で内張り材１を所定温度まで加熱することができる。つまり、施工準備中も加熱ボックス３で内張り材１を予熱しておけるため、時間に制限のある実工事上は非常に有益である。また、加熱ボックス３内の内張り材１を予熱しておけるため、内張り材１の挿入速度（引き込み速度）を上げつつも、内張り材１を所定温度（例えば、樹脂層６のビカット軟化点）まで確実に加熱することができ、挿入工程を短時間で終えることが可能となる。また、加熱ボックス３内だけでなく、加熱ボックス３から引き出された後も加熱筒体２内で加熱されるため、内張り材１を十分に加熱した状態で管路Ｐ内に挿入することができる。逆に言うと、加熱ボックス３内で内張り材１を予熱しておくことにより、加熱筒体２の長さを抑えることも可能であり、施工場所をコンパクトにすることができて、多くの施工条件で適用可能な方法となる。
【００５０】
また、図２に示すように、加熱筒体２の端部は、管路口Ｐａから管路Ｐの内部まで挿入されている。そのため、内張り材１を管路Ｐ内に挿入するときに、内張り材１が管路口Ｐａ付近の角部９ａ（図７）等に直接接触して損傷することが防止される。また、図２に示すように、加熱筒体２の端部から漏れ出る蒸気が管路Ｐの内面を暖めるため、管路Ｐ内に挿入された途端に内張り材１の外面が急冷されてしまうことがなく、内張り材１が管路Ｐの内面の凹凸になじみやすくなる。また、内張り材１の温度が比較的高い状態で、後の膨張工程を開始することができるため、膨張工程における加熱時間を短縮できる。さらに、内張り材１の挿入時に、内張り材１の動きに引きずられるなどして加熱筒体２が管路Ｐに対して多少ずれても、加熱筒体２が管路口Ｐａから外れにくい。
【００５１】
また、ウインチ３１で管路Ｐ内に内張り材１を引き込む際に、加熱筒体２が、マンホールＭ１と管路Ｐとの接続部９の角部９ａに押し付けられると、加熱筒体２が接続部９の角部９ａとの間で擦れて破損する虞がある。また、その際、管路Ｐに挿入される内張り材１にも前記接続部９の角部９ａによって折れや捩れ等が生じやすくなり、次の膨張工程で内張り材１の内部に蒸気を供給しにくくなる。さらに、内張り材１が管路Ｐの下部から浮き上がるという問題がある。この点、本実施形態では、マンホールＭ１と管路Ｐとの接続部９に管口ガイド１０を設置することで、マンホールＭ１から管路Ｐ内へ挿入される加熱筒体２が、接続部９の角部９ａから離されることになり、加熱筒体２に角部９ａとの接触による破損等が生じない。また、内張り材１に折れや捩れ等が生じにくくなる。さらに、内張り材１が管路Ｐの下部から浮き上がりにくくなる。また、管口ガイド１０が湾曲面２３を有し、加熱筒体２は前記湾曲面２３に沿って設置される。そのため、加熱筒体２が管口ガイド１０に強く押し付けられても接触摩擦は小さい。また、湾曲面２３によって内張り材１が管路Ｐへ向けて案内されることで、内張り材１に折れや捩れ等がさらに生じにくくなる。  
【００５２】
（２）膨張工程
図８のように管路Ｐ内に内張り材１が挿入された後に、この内張り材１を内側から加熱しつつ内圧を作用させて内張り材１を膨張させる。まず、マンホールＭ１において管口ガイド１０を取り外し、次いで、内張り材１を取り囲むように配置されている加熱筒体２を取り外す。具体的には、加熱筒体２のファスナー７を開いて加熱筒体２を開いてから、加熱筒体２をマンホールＭ１から引き抜いて取り外す。
【００５３】
図９は、内張り材の膨張工程を示す図である。加熱筒体２を取り外したら、次に、図９に示すように、マンホールＭ１側の内張り材１の端部を切断して端部金具３３を装着し、端部金具３３とボイラ３２とをホース３４で接続する。また、反対側のマンホールＭ２側の内張り材１の端部には、消音器３６付きの排気部３５を備えた端部金具３７を取り付ける。この状態で、ボイラ３２から内張り材１の内部に蒸気を供給し、内張り材１を加熱しながら内圧を作用させる。尚、この際、マンホールＭ２側の端部においても内張り材１が十分に加熱されるように、マンホールＭ２側の排気部３５から蒸気を少しずつ排出しつつ、マンホールＭ１側から蒸気を供給する。これにより、内張り材１の硬質熱可塑性樹脂層６をビカット軟化点以上に加熱して軟化させながら、内張り材１を断面円形に膨張させて管路Ｐの内面に沿わせる。
【００５４】
内張り材１を膨張させた後は、内張り材１を冷却する。すると、内張り材１が管路Ｐの内面に沿った状態で、樹脂層６が硬化する。内張り材１の樹脂層６の硬化後、管路Ｐからはみ出した部分を切断し、内張り材１の設置を完了する。図１０は、内張り材の設置が完了した状態を示す図である。尚、図１０では、図９とは異なり、内張り材１を断面で示している。尚、内張り材１の冷却期間を短縮するために、内張り材１に内圧が作用した状態を保ちながら、内張り材１内に大量のエアや水を供給して排出することで、内張り材１を強制的に冷却することも可能である。
【００５５】
次に、前記実施形態に種々の変更を加えた変更形態について説明する。但し、前記実施形態と同様の構成を有するものについては、同じ符号を付して適宜その説明を省略する。
【００５６】
１］加熱筒体２の内部に設置されて内張り材１を加熱する加熱手段は、前記実施形態の蒸気供給管８には限られない。例えば、加熱筒体２内の内張り材１に向けて高温の温風を噴出可能な装置であってもよい。
【００５７】
２］前記実施形態では、加熱ボックス３内で内張り材１を加熱した後、加熱筒体２で内張り材１をさらに高い温度に加熱する、２段加熱を採用している。これに対して、加熱筒体２への挿通前における内張り材１の加熱を省略し、加熱筒体２のみで内張り材１を所定温度まで加熱する構成であってもよい。
【００５８】
３］前記実施形態のように、加熱筒体２において、硬質熱可塑性樹脂層６のビカット軟化点以上の温度まで加熱することが好ましいが、内張り材１をビカット軟化点まで加熱しなくとも、ある程度軟化していれば、内張り材１を管路内に引き込むことは可能である。
【００５９】
４］図１１に示すように、加熱筒体２の先端部が管路Ｐ内に挿入されていなくてもよい。但し、内張り材１の管路Ｐへの挿入時に加熱筒体２が管路Ｐから外れてしまうことがないように、加熱筒体２の先端部を、適宜の固定手段４０によって管路口Ｐａ付近に固定しておくことが好ましい。
【００６０】
５］管口ガイド１０の形状は、前記実施形態のものには限られない。例えば、図１２に示す管口ガイド５０のように、前記実施形態のガイド部１３が省略されて、水平に延びる棒状の第１フレーム部１１のみによって、加熱筒体２が鉛直方向から水平方向に向きを変えるようにガイドされる構成であってもよい。
【００６１】
６］加熱筒体２が、ファスナー７等の開閉手段によって開放可能である必要は必ずしもない。但し、ファスナー７がない場合には、加熱筒体２を開放できないために、ワイヤ３０の通線作業がやや面倒になる。また、何らかの異常があった場合に加熱筒体２内の内張り材１の状態を確認するには、一旦、内張り材１を加熱筒体２から抜き出す必要がある。
【００６２】
７］前記実施形態の内張り材１は、硬質熱可塑性樹脂の層と筒状織物とを有するものであったが、筒状織物を有さない内張り材１を使用する場合でも、本発明は適用可能である。
【００６３】
８］本発明の適用は、地中に埋設された既設管路の補修には限られない。即ち、地上や水中に敷設された管路や、建物等において上下方向に沿って配された管路など、様々な管路の補修に本発明を適用することも可能である。あるいは、未使用の新設管路の補強に適用することも可能である。
【符号の説明】
【００６４】
１  内張り材
２  加熱筒体
３  加熱ボックス
５  筒状織物
６  硬質熱可塑性樹脂層
７  ファスナー
８  蒸気供給管
８ａ  蒸気噴射孔
９  接続部
９ａ  角部
１０  管口ガイド
２３  湾曲面
５０  管口ガイド
Ｍ１，Ｍ２  マンホール
Ｐ  管路
Ｐａ  管路口
【図１】
2014097611.tif 000003
【図２】
2014097611.tif 000004
【図３】
2014097611.tif 000005
【図４】
2014097611.tif 000006
【図５】
2014097611.tif 000007
【図６】
2014097611.tif 000008
【図７】
2014097611.tif 000009
【図８】
2014097611.tif 000010
【図９】
2014097611.tif 000011
【図１０】
2014097611.tif 000012
【図１１】
2014097611.tif 000013
【図１２】
2014097611.tif 000014